(57)【要約】【課題】  ペットの犬又は猫の疾患について、獣医師から処方された又はペットショップ等で購入した薬剤を、飼い主が円滑な投与の仕方等を習得できる、犬、猫用薬剤の投与法、説明用箋を提供する。【解決手段】  用箋Ｐは、仕切用罫線Ｌで上段部Ａを犬用、下段部Ｂを猫用に区分けされ、最上段にタイトル表示欄１を設け、該タイトル表示欄１の下方には犬用薬剤の表示欄２、３、４、５が縦列に設けられ、その右側には薬剤の投与等の手順を文字で説明する説明欄２１、２２、２３等が並設され、説明欄２１等内のほぼ半面に、動作説明に対応する、犬の姿態と投与者の手の写真２１ａ又は絵（不図示）が表示されている。【選択図】図２
2006289925.tif 000002
【特許請求の範囲】
【請求項１】
犬、猫への薬剤の円滑な投与法に関する説明用箋であって、
該説明用箋の最上段にタイトル表示欄を設け、
該タイトル表示欄の下位に薬剤の形態又は種別等を表示する複数の種別表示欄と、
薬剤の服用、投与等の手順を連続して説明する複数の動作説明欄と、
前記動作説明欄内のそれぞれほぼ半面に、動作説明に対応する、犬又は猫の姿態と薬剤投与者の手の写真又は絵が表示されていることを特徴とする、犬、猫用薬剤の投与法、説明用箋。
【請求項２】
前記説明用箋のほぼ中間に仕切り用罫線を設けて犬用及び猫用それぞれに区分けしていることを特徴とする、請求項１記載の犬、猫用薬剤の投与法、説明用箋。
【請求項３】
前記種別表示欄には薬剤の内訳として錠剤、粉剤、液剤及び目薬のそれぞれが表示されていることを特徴とする、請求項１及び請求項２記載の犬、猫用薬剤の投与法、説明用箋。
【請求項４】
前記動作説明欄内には薬剤投与等の順序を示す番号又は矢印が記入枠内に表示されていることを特徴とする、請求項１ないし請求項３記載の犬、猫用薬剤の投与法、説明用箋。
【請求項５】
前記説明用箋のサイズがＡ列４判又はＢ列５判で、種別表示欄と動作説明欄が横並びに配設されていることを特徴とする、請求項１ないし請求項４記載の犬、猫用薬剤の投与法、説明用箋。
【請求項６】
前記説明用箋のサイズがＡ列４判、又はＢ列５判で、種別表示欄と動作説明欄が縦並びに配設されていることを特徴とする、請求項１ないし請求項５記載の犬、猫用薬剤の投与法、説明用箋。
【請求項７】
前記説明用箋の表面にタイトル表示欄、犬用薬剤の種別表示欄と動作説明欄を設け、裏面にはタイトル表示欄、猫用薬剤の種別表示欄と動作説明欄を設けられていることを特徴とする、請求項１ないし請求項６記載の犬、猫用薬剤の投与法、説明用箋。
【請求項８】
前記動作説明欄間に薬剤投与等の順序を矢印で示していることを特徴とする、請求項１ないし請求項７記載の犬、猫用薬剤の投与法、説明用箋。
【発明の詳細な説明】
【技術分野】
【０００１】  本発明は、ペット特に犬、猫用薬剤の投与法等に関する説明用箋に関する。
【背景技術】
【０００２】  近年はペットブーム到来といわれ、家庭において犬、猫等のペット類を飼育し愛玩動物としてあたかも、家族の一員のように生活に潤いと癒しを与える存在として楽しむ傾向がますます盛んになってきており、２００５年２月に発表された統計によると、わが国においては、ペット特に犬又は猫が４家庭に１頭の比率で飼育されている。【０００３】  犬及び猫も人と同様に例えば風邪、消化不良から内臓疾患、ストレス等による神経系疾患等の各種疾病におかされる。ペット類は人と違い体調不良を率直に訴えることができないので、飼い主は日常からその動作や姿態に留意し、薬剤を投与したり、専門の動物病院で獣医師の診断と治療を受けたり、薬剤の処方を受けている。また疾患が比較的軽症のときは、ペットショップ等で市販されている薬剤を購入し、包装容器内の説明書に記載されている指示に従ってこれを服用させようとするが、獣医師の指導があっても形状が異なる各種薬剤を円滑に服用させることは困難であり、また市販薬剤の説明書に記載されている文字は、極めて小さいために、高齢者や弱視者には判読できない場合がある。【０００４】  ネコ、イヌなどのペットに薬剤を摂取させるための手段として、登録実用新案第３０４２８３０号が開示され、これにはネコ、イヌなどの該ペット類が日常摂餌する固形のペットフード片の中へ症状に適応した薬品を嵌入し、鋭い嗅覚を遮断するように密封して同種の非嵌入のペットフードと混合して一食分の給餌を形成することを特徴とする、ことが提案されている。上記文献の他に犬及び猫を含むペット類への薬剤の投与についての方法、器具又は説明用箋等は、いまだ提案されていない。
【特許文献１】登録実用新案第３０４２８３０号公報
【発明の開示】
【発明が解決しようとする課題】
【０００５】  本発明の目的は、ペットの犬又は猫の疾患について、獣医師から処方された又はペットショップ等で購入した薬剤を、飼い主が円滑な投与の仕方等を習得できる、犬、猫用薬剤の投与法、説明用箋を提供することにある。
【課題を解決するための手段】
【０００６】  上記の課題を解決するための第１の発明は、犬、猫への薬剤の円滑な投与法に関する説明用箋であって、該説明用箋の最上段にタイトル表示欄を設け、該タイトル表示欄の下位に薬剤の形態又は種別等を表示する複数の種別表示欄と、薬剤の服用、投与等の手順を連続して説明する複数の動作説明欄と、前記動作説明欄内のそれぞれほぼ半面に動作説明に対応する、犬又は猫の姿態と薬剤投与者の手の写真又は絵が表示されていることを特徴としている。【０００７】  第２の発明は、請求項１記載の犬、猫用薬剤の投与法、説明用箋にあって、前記説明用箋のほぼ中間に仕切り用罫線を設けて犬用及び猫用それぞれに区分けしていることを特徴としている。【０００８】  第３の発明は、請求項１ないし請求項２記載の犬、猫用薬剤の投与法、説明用箋にあって、前記動作説明欄内には薬剤投与等の順序を示す番号又は矢印が記入枠内に表示されていることを特徴としている。【０００９】  第４の発明は、請求項１ないし請求項３記載の犬、猫用薬剤の投与法、説明用箋にあって、前記動作説明欄内には薬剤投与等の順序を示す番号又は矢印が記入枠内に表示されていることを特徴している。【００１０】  第５の発明は、請求項１ないし請求項４記載の犬、猫用薬剤の投与法、説明用箋にあって、前記説明用箋のサイズがＡ列４判又はＢ列５判で、種別表示欄と動作説明欄が横並びに配設されていることを特徴としている。【００１１】  第６の発明は、請求項１ないし請求項５記載の犬、猫用薬剤の投与法、説明用箋にあって、前記説明用箋のサイズがＡ列４判、又はＢ列５判で、種別表示欄と動作説明欄が縦並びに配設されていることを特徴としている。【００１２】  第７の発明は、請求項１ないし請求項６記載の犬、猫用薬剤の投与法、説明用箋にあって、前記説明用箋の表面にタイトル表示欄、犬用薬剤の種別表示欄と動作説明欄を設け、裏面にはタイトル表示欄、猫用薬剤の種別表示欄と動作説明欄を設けられていることを特徴としている。【００１３】  第８の発明は、請求項１ないし請求項７記載の犬、猫用薬剤の投与法、説明用箋にあって、前記動作説明欄間に薬剤投与等の順序を矢印で示していることを特徴としている。
【発明の効果】
【００１４】  本発明に係る、犬、猫用薬剤の投与法説明用箋は、上記の構成になるから以下の効果を奏する。即ち、第１ないし第３の発明によれば、説明用箋のほぼ中間に仕切り用罫線を設けて犬用及び猫用それぞれに区分けしているので、薬剤を投与者である、例えば飼い主は、どの欄を見ればよいか直ちに選択でき、続いて薬剤の形態又は種別等を種別表示欄で視認し、動作説明欄内のそれぞれほぼ半面に、動作説明文に対応する、犬又は猫及び薬剤投与者の手の写真又は絵が表示されているから、記載内容を容易に理解し、投与法を体得することができ、特に高齢者や視力弱者には好適である。【００１５】  第４の発明及び第８の発明によれば、動作説明欄内に薬剤投与等の順序を示す番号又は矢印が記入枠内に表示されているので、記入枠の番号又は矢印に従って犬又は猫に円滑な薬剤の投与ができる。【００１６】  第５の発明及び第６の発明によれば、説明用箋のサイズがＡ列４判又はＢ列５判で、種別表示欄と動作説明欄が横並びに配設され、動作説明欄の文字が比較的大きいので記載内容の判読が容易である。【００１７】  第７の発明によれば、説明用箋の表面にタイトル表示欄、犬用薬剤の種別表示欄と動作説明欄を設け、裏面にはタイトル表示欄、猫用薬剤の種別表示欄と動作説明欄が設けられているので、説明用箋の表裏両面を無駄なく有効に活用できる。
【発明を実施するための最良の形態】
【００１８】  以下、本発明に係る、犬、猫用薬剤の投与法、説明用箋に関する好適な実施形態について、図面を参照しながら説明する。図１は説明用箋の第１実施形態を示す平面図、図２は同第２実施形態を示す平面図、図３は同第３実施形態を示す表面部の平面図である。【００１９】  図１に示すのは、Ａ列４判サイズの説明用箋（以下、用箋Ｐという）であり、仕切用罫線Ｌで上段部Ａを犬用、下段部Ｂを猫用としてそれぞれに区分けしている。１は用箋Ｐの最上段、左側部に設けたタイトル表示欄で、「薬の飲ませ方、目薬のさし方」が大きな文字で二段併記され、その右側部には、疾病、ケガ等に備え、子犬、子猫のときから薬剤、目薬投与の練習とその必要性を記述した記述欄１ａがあり、タイトル表示欄１の下方には薬剤の種別表示欄（以下、表示欄という）２、３、４、５が縦列に設けられ、表示欄２内には例えば、錠剤とｄｏｇの文字２ａが表示され、表示欄３内には粉剤とｄｏｇの文字３ａが表示され、表示欄４内には液剤とｄｏｇの文字４ａが表示され、表示欄５内には目薬とｄｏｇの文字５ａが表示されている。【００２０】  ２１、２２、２３は、犬用薬剤の投与等の手順を説明する動作説明欄（以下、説明欄という）で、説明欄２１は、錠剤を犬に投与するための投与者例えば飼い主の理想的な準備体勢を文字で説明し、同時に説明欄２１内のほぼ半面に、動作説明に対応する、犬の姿態と投与者の手の写真２１ａ又は絵（不図示）が表示され、説明欄２２には、錠剤服用の具体的な説明、例えば「口の中の、なるべく奥の方へ錠剤を入れます。」のように文字と犬の姿態及び投与者の手の写真２２ａ又は絵（不図示）が表示され、説明欄２３には、次のステップである錠剤投与を終了するまでの具体的な説明、例えば「口を閉じさせて鼻先を上に向け、喉をさするようにします。」の文字と犬の姿態及び投与者の手の写真２３ａ又は絵（不図示）が表示されている。また説明欄２１、２２及び２３内の下方には、錠剤投与の順序を示す数字１、２、３を表記するための記入枠２１ｂ、２２ｂ及び２３ｂがそれぞれ設けられている。なお数字１、２、３に代えて矢印を表示してもよい。【００２１】  表示欄３に並設する３１、３２及び３３は、粉剤を犬に投与するための説明欄で、３１では粉剤の説明欄２１と同様に準備体勢を説明し、説明欄３２では粉剤投与の具体的な説明がなされ、説明欄３３では錠剤の説明欄２３と同様に投与を終了するまでの具体的な説明がなされていると共に、それぞれの説明欄３１、３２及び３３内で犬の姿態及び投与者の手の写真３１ａ、３２ａ、３３ａ、又は絵（不図示）が表示されている。また説明欄３１、３２及び３３内の下方には、粉剤投与の順序を示す数字１、２、３を表記するための記入枠３１ｂ、３２ｂ及び３３ｂがそれぞれ設けられている。なお数字１、２、３に代えて矢印を表示してもよい。【００２２】  表示欄４に並設する４１、４２及び４３は、液剤を犬に投与するための説明欄で、説明欄４１では錠剤の説明欄２１と同様に準備体勢を説明し、説明欄４２では液剤投与の具体的な説明がなされ、説明欄４３では錠剤の説明欄２３と同様に投与を終了するまでの具体的な説明がなされていると共に、それぞれの説明欄４１、４２及び４３内で��の姿態及び投与者の手の写真４１ａ、４２ａ、４３ａ又は絵（不図示）が表示されている。また説明欄４１、４２及び４３内の下方には、液剤投与の順序を示す数字１、２、３を表記するための記入枠４１ｂ、４２ｂ及び４３ｂがそれぞれ設けられている。なお数字１、２、３に代えて矢印を表示してもよい。【００２３】  表示欄５に並列する５１、５２及び５３は、目薬を犬に投与するための説明欄で、説明欄５１では錠剤の説明欄２１と同様に準備体勢を説明し、説明欄５２では目薬の具体的な説明がなされ、説明欄５３では錠剤の説明欄２３と同様に投与を終了するまでの具体的な説明がなされていると共に、それぞれの説明欄５１、５２及び５３内で犬の姿態及び投与者の手の写真５１ａ、５２ａ、５３ａ又は絵（不図示）が表示されている。また説明欄５１、５２及び５３内の下方には、目薬投与の順序を示す数字１、２、３を表記するための記入枠５１ｂ、５２ｂ及び５３ｂがそれぞれ設けられている。なお数字１、２、３に代えて矢印を表示してもよい。【００２４】  用箋Ｐの下段部Ｂには猫用薬剤の表示欄２０、３０、４０、５０が設けられ、表示欄２０内には例えば、錠剤とｃａｔの文字２０ａが表示され、表示欄３０内には粉剤とｃａｔの文字３０ａが表示され、表示欄４０内には液剤とｃａｔの文字４０ａが表示され、表示欄５０内には目薬とｃａｔの文字５０ａが表示されている。【００２５】  ２０１、２０２、２０３は、猫用薬剤の投与等の手順を説明する説明欄で、説明欄２０１は、錠剤を猫に投与するための投与者例えば飼い主の理想的な準備体勢を説明し、同時に説明欄２０１内のほぼ半面に、動作説明に対応する、猫の姿態と投与者の手の写真２０１ａ又は絵（不図示）が表示され、説明欄２０２には、錠剤投与の具体的な説明、例えば「錠剤を口の中の、なるべく奥のまん中へ入れます。」のように文字と猫の姿態及び投与者の手の写真２０２ａ又は絵（不図示）が表示され、説明欄２０３には、次のステップである錠剤服用を終了するまでの具体的な説明、例えば「頭を保定したまま、口を閉じさせて鼻先を上に向け、喉をさするようにします。」の文字と猫の姿態及び投与者の手の写真２０３ａ又は絵（不図示）が表示されている。また説明欄２０１、２０２及び２０３内の下方には、錠剤投与の順序を示す数字１、２、３を表記するための記入枠２０１ｂ、２０２ｂ及び２０３ｂがそれぞれ設けられている。なお数字１、２、３に代えて矢印を表示してもよい。【００２６】  表示欄３０に並設する３０１、３０２及び３０３は、粉剤を猫に投与するための説明欄で、説明欄３０１では錠剤の説明欄２０１と同様に準備体勢を説明し、説明欄３０２では粉剤投与の具体的な説明がなされ、説明欄３０３では錠剤の説明欄２０３と同様に投与を終了するまでの具体的な説明がなされていると共に、それぞれの説明欄３０１、３０２及び３０３内で猫の姿態及び投与者の手の写真３０１ａ、３０２ａ、３０３ａ又は絵（不図示）が表示されている。また説明欄３０１、３０２及び３０３内の下方には、粉剤投与の順序を示す数字１、２、３を表記するための記入枠３０１ｂ、３０２ｂ及び３０３ｂがそれぞれ設けられている。なお数字１、２、３に代えて矢印を表示してもよい。【００２７】  表示欄４０に並設する４０１、４０２及び４０３は、液剤を猫に投与するための説明欄で、説明欄４０１では錠剤の説明欄２０１と同様に準備体勢を説明し、説明欄４０２では液剤投与の具体的な説明がなされ、説明欄４０３では錠剤の説明欄２０３と同様に投与を終了するまでの具体的な説明がなされていると共に、それぞれの説明欄４０１、４０２及び４０３内で猫の姿態及び投与者の手の写真４０１ａ、４０２ａ、４０３ａ又は絵（不図示）が表示されている。また説明欄４０１、４０２及び４０３内の下方には、液剤投与の順序を示す数字１、２、３を表記するための記入枠４０１ｂ、４０２ｂ及び４０３ｂがそれぞれ設けられている。なお数字１、２、３に代えて矢印を表示してもよい。【００２８】  表示欄５０に並列する５０１、５０２及び５０３は、目薬を猫に投与するための説明欄で、５０１では錠剤の説明欄２０１と同様に準備体勢を説明し、５０２では目薬投与の具体的な説明がなされ、５０３では錠剤の説明欄２０３と同様に投与を終了するまでの具体的な説明がされていると共に、それぞれの説明欄５０１、５０２及び５０３内で猫の姿態及び投与者の手の写真５０１ａ、５０２ａ、５０３ａ又は絵（不図示）が表示されている。また説明欄５０１、５０２及び５０３内の下方には、目薬投与の順序を示す数字１、２、３を表記するための記入枠５０１ｂ、５０２ｂ及び５０３ｂがそれぞれ設けられている。なお数字１、２、３に代えて矢印を表示してもよい。【００２９】  図２は、本発明に係る、犬、猫用薬剤の投与法、説明用箋の第２の実施形態を示すもので、Ａ列４判サイズの用箋Ｐ’であり、仕切用罫線Ｌ’で上段部Ａ’を犬用、下段部Ｂ’を猫用としてそれぞれに区分けしている。１’は用箋Ｐ’の最上段、左側部に設けたタイトル表示欄で、「薬の飲ませ方、目薬のさし方」が比較的大きな文字で二段併記され、その右側部には、疾病、ケガ等に備え、子犬、子猫のときから薬剤、目薬投与の練習とその必要性を記述した記述欄１’ａがあり、タイトル表示欄１’と記述欄１’ａの下方には薬剤の表示欄２’、３’、４’、５’が横列に設けられ、上段部Ａ’の表示欄２’内には例えば、錠剤とｄｏｇの文字２’ａが表示され、表示欄３’内には粉剤とｄｏｇの文字３’ａが表示され、表示欄４’内には液剤とｄｏｇの文字４’ａが表示され、表示欄５’内には目薬とｄｏｇの文字５’ａが表示され、表示欄２’、３’、４’、５’の下罫線中心から下向きにそれぞれ矢印が表記され、犬用錠剤の投与等の手順を説明する説明欄２１’、２２’、２３’が下向き矢印を介して縦方向に配設されている。また説明欄２１’には、錠剤を犬に投与するための投与者例えば飼い主の理想的な準備体勢を説明し、同時に説明欄２１’内のほぼ半面に、動作説明に対応する、犬の姿態と投与者の手の写真２１’ａ又は絵が表示され、説明欄２２’には、錠剤投与の具体的な説明、例えば「口の中の、なるべく奥の方へ錠剤を入れます。」のように文字と犬の姿態及び投与者の手の写真２２’ａ又は絵が表示され、説明欄２３’には、次のステップである錠剤投与を終了するまでの具体的な説明、例えば「口を閉じさせて鼻先を上に向け、喉をさするようにします。」の文字と犬の姿態及び投与者の手の写真２３’ａ又は絵が表示されている。【００３０】  表示欄３’の下罫線中心から下向き矢印が表示され、犬用粉剤の投与等の手順を説明する説明欄３１’、３２’、３３’が下向き矢印を介して縦方向に配設され、同様に表示欄４’の下罫線中心から矢印が表示され、犬用液剤の投与等の手順を説明する説明欄４１’、４２’、４３’が下向き矢印を介して縦方向に配設され、また表示欄５’の下罫線中心から矢印が表示され、犬用目薬の投与等の手順を説明する説明欄５１’、５２’、５３’が下向き矢印を介して縦方向に配設されている。【００３１】  説明欄３１’、４１’、５１’では説明欄２１’と同様に、それぞれの薬剤を犬に投与するための投与者の理想的な準備体勢を説明し、同時に各説明欄内３１’、４１’、５１’のほぼ半面に、動作説明に対応する、犬の姿態と投与者の手の写真３１’ａ、４１’ａ、５１’ａ又は絵が表示されている。【００３２】  説明欄３２’、４２’、５２’では説明欄２２’と同様に、それぞれの薬剤投与の具体的な説明が、文字と犬の姿態及び投与者の手の写真３２’ａ、４１’ａ、５１’ａ又は絵が表示され、説明欄３３’、４３’、５３’には、次のステップである各薬剤投与を終了するまでの具体的な説明の文字と犬の姿態及び投与者の手の写真３３’ａ、４３’ａ、５３’ａ又は絵が表示されている。【００３３】  用箋Ｐ’の下段部Ｂ’には猫用薬剤の表示欄２０’、３０’、４０’、５０’が設けられ、表示欄２０’内には例えば、錠剤とｃａｔの文字２０’ａが表示され、表示欄３０’内には粉剤とｃａｔの文字３０’ａが表示され、表示欄４０’内には液剤とｃａｔの文字４０’ａが表示され、表示欄５０’内には目薬とｃａｔの文字５０’ａが表示されている。各表示欄２０’、３０’、４０’、５０’の下罫線中心から下向きにそれぞれ矢印が表示され、猫用各薬剤の投与等の手順を説明する説明欄２０１’、３０１’、４０１’、５０１’等が下向き矢印を介して縦方向に配設されている。【００３４】  ２０１’、２０２’、２０３’は、猫用錠剤の投与等の手順を説明する説明欄で、説明欄２０１’は、錠剤を猫に投与するための投与者例えば飼い主の理想的な準備体勢を文字で説明し、同時に説明欄２０１’内のほぼ半面に、動作説明に対応する、猫の姿態と投与者の手の写真２０１’ａ又は絵が表示され、説明欄２０２’には、錠剤投与の具体的な説明、例えば「錠剤を口の中の、なるべく奥のまん中へ入れます。」のように文字と猫の姿態及び投与者の手の写真２０２’ａ又は絵が表示され、説明欄２０３’には、次のステップである錠剤服用を終了するまでの具体的な説明、例えば「頭を保定したまま、口を閉じさせて鼻先を上に向け、喉をさするようにします。」の文字と猫の姿態及び投与者の手の写真２０３’ａ又は絵が表示されている。【００３５】  表示欄３０’から下向きに配設する３０１’、３０２’及び３０３’は、粉剤を猫に投与するための説明欄で、３０１’では錠剤の説明欄２０１’と同様に準備体勢を説明し、３０２’では粉剤投与の具体的な説明がなされ、３０３’では錠剤の説明欄２０３’と同様に投与を終了するまでの具体的な説明がなされていると共に、それぞれの説明欄３０１’、３０２’及び３０３’内で猫の姿態及び投与者の手の写真３０１’ａ、３０２’ａ、３０３’ａ又は絵が表示されている。【００３６】  表示欄４０’から下向きに配設する４０１’、４０２’及び４０３’は、液剤を猫に投与するための説明欄で、４０１’では錠剤の説明欄２０１’と同様に準備体勢を説明し、４０２’では液剤投与の具体的な説明がなされ、４０３’では錠剤の説明欄２０３’と同様に投与を終了するまでの具体的な説明がなされていると共に、それぞれの説明欄４０１’、４０２’及び４０３’内で猫の姿態及び投与者の手の写真４０１’ａ、４０２’ａ、４０３’ａ又は絵が表示されている。【００３７】  表示欄５０’から下向きに配設する５０１’、５０２’及び５０３’は、目薬を猫に投与するための説明欄で、５０１’では錠剤の説明欄２０１’と同様に準備体勢を説明し、５０２’では目薬投与の具体的な説明がなされ、５０３’では錠剤の説明欄２０３’と同様に投与を終了するまでの具体的な説明がされていると共に、それぞれの説明欄５０１’、５０２’及び５０３’内で猫の姿態及び投与者の手の写真５０１’ａ、５０２’ａ、５０３’ａ又は絵が表示されている。【００３８】  図３は、本発明に係る、犬、猫用薬剤の投与法、説明用箋の第３実施形態の表面部を示すもので、第１実施形態のＡ列４判サイズの上段部Ａを、Ｂ列５判サイズの横向きとした用箋Ｐ’’であり、図面に示すように、タイトル表示欄１、記述欄１ａ、薬剤の表示欄２、３、４、５、説明欄２１、２２、２３等の説明内容は基本的に同一であり、また用箋Ｐ’’の裏面部は、第１実施形態のＡ列４判サイズの下段部Ｂを、Ｂ列５判サイズの横向き（不図示）とし、薬剤の表示欄２０、３０、４０、５０、説明欄２０１、２０２、２０３等の説明内容は基本的に同一であるので説明を省略する。【００３９】  第３実施形態の用箋Ｐ’’における第１実施形態の用箋Ｐとの相異点は、用紙のサイズの他、上記した用紙の両面使用、薬剤の投与等の手順を１、２、３の数字と記入欄２１ｂ、２０１ｂ等を削除して矢印とし、表示欄２、３、４、５及び２０、３０、４０、５０内のｄｏｇ及びｃａｔ等を表示していないことである。【００４０】  上記、本発明に係る、犬、猫用薬剤の投与法、説明用箋の第１実施形態〜第３実施形態で説明した、各薬剤の表示欄における配設の順序及び動作説明等は本発明の技術範囲を逸脱しない範囲内において適宜、変更可能である。
【図面の簡単な説明】
【００４１】
【図１】本発明に係る、犬、猫用薬剤の投与法、説明用箋の第１実施形態を示す平面図である。
【図２】同第２実施形態を示す平面図である。
【図３】同第３実施形態を示す表面部の平面図である。
【符号の説明】
【００４２】Ｐ                            用箋
１                            タイトル表示欄
２、３、４、５                表示欄
２１、２２、２３              説明欄
２１ａ、２２ａ、２３ａ        写真
Ｌ                            仕切用罫線
Ａ                            上段部
Ｂ                            下段部
２０、３０、４０、５０        表示欄
２０１、２０２、２０３        説明欄
２０１ａ、２０２ａ、２０３ａ  写真
【図１】
2006289925.tif 000003
【図２】
2006289925.tif 000004
【図３】
2006289925.tif 000005